(57)【特許請求の範囲】
【請求項１】
複数の熱交換式の湯水加熱手段が、湯水通流路を通流する湯水を加熱するように設けられ、
湯水供給箇所に供給される湯水が目標熱量状態となるように、複数の湯水加熱手段の運転を制御する運転制御手段が設けられ、
前記運転制御手段が、前記複数の湯水加熱手段のうち、運転させる湯水加熱手段が予め設定されている運転モードを複数種備えて構成されている給湯装置であって、
前記湯水通流路を通流する湯水を前記湯水供給箇所としての貯湯タンクに供給する貯湯運転を指令する貯湯スイッチ、前記湯水通流路を通流する湯水を前記湯水供給箇所としての風呂用放熱部に供給する追焚き運転を指令する追焚きスイッチが設けられ、
前記複数の湯水加熱手段の夫々が、夫々に対応して予め設定されている運転開始用条件が満たされると、運転開始許容状態となるように構成され、
前記貯湯スイッチ又は前記追焚きスイッチがＯＮ操作されるに伴って、前記複数の湯水加熱手段のうち、前記運転開始許容状態となっている湯水加熱手段に基づいて、前記複数種の運転モードのうち、実行可能な運転モードを表示する運転モード表示部と、
前記運転モード表示部に表示された運転モードの夫々において、各運転モードにて前記複数の湯水加熱手段を運転させたときの予測効率を表示する予測効率表示部と、
前記運転モード表示部に表示された運転モードの夫々において、各運転モードにて前記複数の湯水加熱手段を運転させたときの運転完了時間を表示する運転完了時間表示部とが設けられ、
前記運転モード表示部に表示された運転モードのうちのひとつを人為的に選択可能な運転モード選択手段が設けられ、
前記運転制御手段が、前記運転モード選択手段にて選択された運転モードにて前記複数の湯水加熱手段を運転させるように構成されている給湯装置。
【請求項２】
複数の熱交換式の湯水加熱手段が、湯水通流路を通流する湯水を加熱するように設けられ、
湯水供給箇所に供給される湯水が目標熱量状態となるように、複数の湯水加熱手段の運転を制御する運転制御手段が設けられ、
前記運転制御手段が、前記複数の湯水加熱手段のうち、運転させる湯水加熱手段が予め設定されている運転モードを複数種備えて構成されている給湯装置であって、
前記湯水通流路を通流する湯水を前記湯水供給箇所としての貯湯タンクに供給する貯湯運転を指令する貯湯スイッチ、前記湯水通流路を通流する湯水を前記湯水供給箇所としての風呂用放熱部に供給する追焚き運転を指令する追焚きスイッチが設けられ、
前記複数の湯水加熱手段の夫々が、夫々に対応して予め設定されている運転開始用条件が満たされると、運転開始許容状態となるように構成され、
前記貯湯スイッチ又は前記追焚きスイッチがＯＮ操作されるに伴って、前記複数の湯水加熱手段のうち、前記運転開始許容状態となっている湯水加熱手段に基づいて、前記複数種の運転モードのうち、実行可能な運転モードを表示する運転モード表示部と、
前記運転モード表示手段に表示された運転モードのうち、ある運転モードにて前記複数の湯水加熱手段を運転させたときの効率と、他の運転モードにて前記複数の湯水加熱手段を運転させたときの効率との優劣関係を表示する効率優劣表示部と、
前記運転モード表示部に表示された運転モードの夫々において、各運転モードにて前記複数の湯水加熱手段を運転させたときの運転完了時間を表示する運転完了時間表示部とが設けられ、
前記運転モード表示部に表示された運転モードのうちのひとつを人為的に選択可能な運転モード選択手段が設けられ、
前記運転制御手段が、前記運転モード選択手段にて選択された運転モードにて前記複数の湯水加熱手段を運転させるように構成されている給湯装置。
【請求項３】
実際に前記複数の湯水加熱手段を運転させたときの設定期間内における総合効率を表示する総合効率表示部が設けられている請求項１又は２に記載の給湯装置。
【請求項４】
前記総合効率表示部に、実際に前記複数の湯水加熱手段を運転させたときの設定期間内におけるエネルギー消費量を表示するように構成されている請求項３に記載の給湯装置。
【請求項５】
前記総合効率表示部に、実際に前記複数の湯水加熱手段を運転させたときの設定期間内におけるエネルギーコストを表示するように構成されている請求項３または４に記載の給湯装置。
【発明の詳細な説明】
【０００１】
【発明の属する技術分野】
本発明は、複数の熱交換式の湯水加熱手段が、湯水通流路を通流する湯水を加熱するように設けられ、湯水供給箇所に供給される湯水が目標熱量状態となるように、複数の湯水加熱手段の運転を制御する運転制御手段が設けられ、前記運転制御手段が、前記複数の湯水加熱手段のうち、運転させる湯水加熱手段が予め設定されている運転モードを複数種備えて構成されている給湯装置に関する。
【０００２】
【従来の技術】
上記のような給湯装置は、湯水供給箇所に供給される湯水の温度や湯水の供給量などが目標温度や目標供給量となるように、複数種の運転モードのうちのひとつの運転モードにて複数の湯水加熱手段を運転させるものであり、例えば、特公昭６２−２２３７９号公報に示されているように、湯水加熱手段としてヒートポンプ装置における凝縮器と補助加熱器とが設けられ、湯水供給箇所としての貯湯槽に供給する湯水をヒートポンプ装置における凝縮器のみで加熱するヒートポンプ単独運転モードと、貯湯槽に供給する湯水をヒートポンプ装置における凝縮器および補助加熱器にて加熱する併用運転モードとが備えられ、外気温度がある温度よりも高いと、ヒートポンプ単独運転モードを選択し、外気温度がある温度以下になると、併用運転モードを選択するように、外気温度に基づいて、実際に運転させる運転モードを自動的に選択して運転するようにしているものである。
【０００３】
ちなみに、ヒートポンプ単独運転モードにおいては、貯湯槽に目標熱量状態の湯水が得られるまでに併用運転モードにて運転するよりも時間がかかるが、運転の効率が併用運転モードにて運転するよりも高いものとなっている。
また、併用運転モードは、ヒートポンプ単独運転モードにて運転するよりも短時間で貯湯槽に目標熱量状態の湯水が得られるものの、運転の効率はヒートポンプ単独運転モードにて運転するよりも低いものとなっている。
なお、効率とは、機器の性能（加熱能力）を機器に入力したエネルギー量で割った値のことを示している。
【０００４】
【発明が解決しようとする課題】
しかしながら、上記従来のように、外気温度などの諸条件に基づいて、実際に運転させる運転モードを自動的に選択するものでは、必ずしも使用者の要求に応じて運転を実行することができないものとなっていた。
すなわち、使用者には、運転の効率は悪くても目標熱量状態の湯水を早く得たいという要求や、目標熱量状態の湯水を得るまでに時間がかかっても効率のよい運転を行ってコストの低減を図りたいという要求などの各種の要求があるが、外気温度に基づいて運転モードが自動的に選択されると、使用者の要求と相反する要求を満たす運転モードにて運転される虞があった。
【０００５】
本発明は、かかる点に着目してなされたものであり、その目的は、複数種の運転モードのうち、使用者の要求に応えることができる運転モードにて運転することが可能となる給湯装置を提供する点にある。
【０００６】
【課題を解決するための手段】
この目的を達成するために、請求項１に記載の発明によれば、複数の熱交換式の湯水加熱手段が、湯水通流路を通流する湯水を加熱するように設けられ、湯水供給箇所に供給される湯水が目標熱量状態となるように、複数の湯水加熱手段の運転を制御する運転制御手段が設けられ、前記運転制御手段が、前記複数の湯水加熱手段のうち、運転させる湯水加熱手段が予め設定されている運転モードを複数種備えて構成されている給湯装置において、
前記湯水通流路を通流する湯水を前記湯水供給箇所としての貯湯タンクに供給する貯湯運転を指令する貯湯スイッチ、前記湯水通流路を通流する湯水を前記湯水供給箇所としての風呂用放熱部に供給する追焚き運転を指令する追焚きスイッチが設けられ、前記複数の湯水加熱手段の夫々が、夫々に対応して予め設定されている運転開始用条件が満たされると、運転開始許容状態となるように構成され、前記貯湯スイッチ又は前記追焚きスイッチがＯＮ操作されるに伴って、前記複数の湯水加熱手段のうち、前記運転開始許容状態となっている湯水加熱手段に基づいて、前記複数種の運転モードのうち、実行可能な運転モードを表示する運転モード表示部と、前記運転モード表示部に表示された運転モードの夫々において、各運転モードにて前記複数の湯水加熱手段を運転させたときの予測効率を表示する予測効率表示部と、前記運転モード表示部に表示された運転モードの夫々において、各運転モードにて前記複数の湯水加熱手段を運転させたときの運転完了時間を表示する運転完了時間表示部とが設けられ、前記運転モード表示部に表示された運転モードのうちのひとつを人為的に選択可能な運転モード選択手段が設けられ、前記運転制御手段が、前記運転モード選択手段にて選択された運転モードにて前記複数の湯水加熱手段を運転させるように構成されている。
【０００７】
すなわち、装置を運転するときに、運転モード表示部に表示された実行可能な運転モードから、運転モード選択手段にてひとつの運転モードを選択すると、その選択された運転モードにて装置の運転を実行されることとなるので、使用者が、現在、実行可能な運転モードから実際に運転させる運転モードを必要に応じて選択することが可能となる。
したがって、複数種の運転モードのうち、使用者の要求に応えることができる運転モードにて運転することが可能となる給湯装置を提供することができるに到った。
又、請求項１に記載の発明によれば、装置を運転するときに、実行可能な運転モードを表示させるとともに、その実行可能な運転モードの夫々について、実際に運転させたときの予測効率を表示させることができるので、使用者が運転の効率を考慮して実際の運転モードを選択することが可能となって、コストの低減を図りたいという使用者の要求を満たすことが可能な運転モードにて運転させることが可能となる。
又、請求項１に記載の発明によれば、装置を運転するときに、実行可能な運転モードを表示させるとともに、その実行可能な運転モードの夫々について、実際に運転させたときの運転完了時間を表示させることができるので、使用者が運転完了時間を考慮して実際の運転モードを選択することが可能となって、目標熱量状態の湯水を早く得たいという要求を満たすことが可能な運転モードにて運転することが可能となる。
【０００９】
請求項２に記載の発明によれば、複数の熱交換式の湯水加熱手段が、湯水通流路を通流する湯水を加熱するように設けられ、湯水供給箇所に供給される湯水が目標熱量状態となるように、複数の湯水加熱手段の運転を制御する運転制御手段が設けられ、前記運転制御手段が、前記複数の湯水加熱手段のうち、運転させる湯水加熱手段が予め設定されている運転モードを複数種備えて構成されている給湯装置において、
前記湯水通流路を通流する湯水を前記湯水供給箇所としての貯湯タンクに供給する貯湯運転を指令する貯湯スイッチ、前記湯水通流路を通流する湯水を前記湯水供給箇所としての風呂用放熱部に供給する追焚き運転を指令する追焚きスイッチが設けられ、前記複数の湯水加熱手段の夫々が、夫々に対応して予め設定されている運転開始用条件が満たされると、運転開始許容状態となるように構成され、前記貯湯スイッチ又は前記追焚きスイッチがＯＮ操作されるに伴って、前記複数の湯水加熱手段のうち、前記運転開始許容状態となっている湯水加熱手段に基づいて、前記複数種の運転モードのうち、実行可能な運転モードを表示する運転モード表示部と、前記運転モード表示手段に表示された運転モードのうち、ある運転モードにて前記複数の湯水加熱手段を運転させたときの効率と、他の運転モードにて前記複数の湯水加熱手段を運転させたときの効率との優劣関係を表示する効率優劣表示部と、前記運転モード表示部に表示された運転モードの夫々において、各運転モードにて前記複数の湯水加熱手段を運転させたときの運転完了時間を表示する運転完了時間表示部とが設けられ、前記運転モード表示部に表示された運転モードのうちのひとつを人為的に選択可能な運転モード選択手段が設けられ、前記運転制御手段が、前記運転モード選択手段にて選択された運転モードにて前記複数の湯水加熱手段を運転させるように構成されている。
すなわち、装置を運転するときに、運転モード表示部に表示された実行可能な運転モードから、運転モード選択手段にてひとつの運転モードを選択すると、その選択された運転モードにて装置の運転を実行されることとなるので、使用者が、現在、実行可能な運転モードから実際に運転させる運転モードを必要に応じて選択することが可能となる。
したがって、複数種の運転モードのうち、使用者の要求に応えることができる運転モードにて運転することが可能となる給湯装置を提供することができるに到った。
又、請求項２に記載の発明によれば、装置を運転するときに、実行可能な運転モードを表示させるとともに、その実行可能な運転モードの夫々について、実際に運転させたときの効率の優劣関係を表示させることができるので、その優劣関係を見ただけで、使用者が最良の効率の運転モードを容易に選択することができ、運転モードの選択を容易に行うことができるものとなる。
【００１０】
又、請求項２に記載の発明によれば、装置を運転するときに、実行可能な運転モードを表示させるとともに、その実行可能な運転モードの夫々について、実際に運転させたときの運転完了時間を表示させることができるので、使用者が運転完了時間を考慮して実際の運転モードを選択することが可能となって、目標熱量状態の湯水を早く得たいという要求を満たすことが可能な運転モードにて運転することが可能となる。
【００１１】
請求項３に記載の発明によれば、実際に前記複数の湯水加熱手段を運転させたときの設定期間内における総合効率を表示する総合効率表示部が設けられている。
すなわち、実際に運転させたときの設定期間内における総合効率を表示することができるので、実際に運転させた状態での効率を考慮して、その後の運転モードを選択することができることとなって、運転モードの選択を実際の運転に基づいて的確に行うことが可能となる。
【００１２】
請求項４に記載の発明によれば、前記総合効率表示部に、実際に前記複数の湯水加熱手段を運転させたときの設定期間内におけるエネルギー消費量を表示するように構成されている。
すなわち、請求項３との協働作用により、実際に運転させたときの設定期間内における総合効率と併せて、実際に使用した設定期間内のエネルギー消費量を表示することができるので、総合効率だけではなく、エネルギー消費量をも考慮して、その後の運転モードを選択することができることとなって、コストの低減を図る際に運転モードの選択をより的確に行うことが可能となる。
【００１３】
請求項５に記載の発明によれば、前記総合効率表示部に、実際に前記複数の湯水加熱手段を運転させたときの設定期間内におけるエネルギーコストを表示するように構成されている。
すなわち、実際に運転したときの設定期間内のエネルギーコストを表示することができるので、総合効率やエネルギー消費量などでは分かり難い実際に低減することができたコストを使用者が容易に把握することが可能となる。
【００１４】
【発明の実施の形態】
本発明にかかる給湯装置をエンジンヒートポンプ式冷暖房給湯システムに適応した例を図面に基づいて説明する。
このエンジンヒートポンプ式冷暖房給湯システムは、図１および２に示すように、貯湯タンク１内に温度成層を形成しながら貯湯したり、貯湯タンク１内に貯湯された湯水を給湯したり、貯湯タンク１内の湯水を加熱して外部放熱部２にて放熱する貯湯ユニットＡと、空調対象空間の空調運転と貯湯タンク１内の湯水を加熱するための加熱運転を実行可能なヒートポンプ装置としてのエンジンヒートポンプ式冷暖房装置Ｂとから構成されている。
【００１５】
前記貯湯ユニットＡは、この貯湯ユニットＡの運転を制御する貯湯ユニット制御部Ｃ、貯湯タンク１、貯湯タンク１内の湯水を循環するための循環路３、循環路３を通流する湯水を加熱する加熱部４、循環路３を通流する湯水と熱交換して放熱する外部放熱部２などから構成され、循環ポンプＰ１を作動させて貯湯タンク１内の湯水を循環路３にて循環しながら、加熱部４にて加熱したり、外部放熱部２にて放熱するようにしている。
【００１６】
前記貯湯タンク１内には、その貯湯量が給湯用貯湯量としての最低確保量以上であるかを、その湯温を検出することにより検出する最上部サーミスタＳ１、その貯湯量が少以上であるかを、その湯温を検出することにより検出する上部サーミスタＳ２、その貯湯量が中以上であるかを、その湯温を検出することにより検出する中部サーミスタＳ３、その貯湯量が満以上であるかを、その湯温を検出することにより検出する底部サーミスタＳ４が設けられている。
複数のサーミスタの設置位置は、貯湯タンク１の上位から、最上部サーミスタＳ１、上部サーミスタＳ２、中部サーミスタＳ３、底部サーミスタＳ４の順になっている。
そして、使用者の必要に応じて貯湯リモコンＲ２などにより、貯湯タンク１内の目標貯湯量を、「少」、「中」、「満」の３つの貯湯量からひとつを選択できるようにしている。
【００１７】
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５と混合用給水路７との分岐箇所には、給水温度を検出する給水サーミスタ９が設けられ、給水路５および混合用給水路７の夫々には、逆止弁１０が設けられている。
ちなみに、給湯路６には、オーバーフロー路１１が接続され、そのオーバーフロー路１１にエアー抜き弁１２が設けられている。
【００１８】
また、給湯路６におけるミキシングバルブ８よりも上流側には、貯湯タンク１の上部から給湯路６に給湯された湯水の温度を検出する貯湯出口サーミスタ１３が設けられ、給湯路６におけるミキシングバルブ８よりも下流側には、ミキシングバルブ８にて混合された湯水の温度を検出するミキシングサーミスタ１４、給湯路６の湯水の流量を調整する給湯用水比例バルブ１５が設けられている。
【００１９】
前記給湯用水比例バルブ１５よりも下流側の給湯路６が、台所や洗面所などの図外の給湯栓に給湯する一般給湯路１６と、図外の浴槽に湯水を供給するための湯張り路１７とに分岐され、湯張り路１７が浴槽からの風呂戻り路１８に接続され、風呂戻り路１８および風呂往き路１９の両路を通して浴槽に湯水を供給するようにしている。
前記一般給湯路１６には、一般給湯路１６を通流する湯水の流量を検出する給湯流量センサ２０が設けられ、湯張り路１７には、湯張り路１７を通流する湯水の流量を検出する湯張り流量センサ２１、湯張り電磁弁２２、バキュームブレーカ２３、湯張り逆止弁２４が上流側から順に設けられている。
【００２０】
そして、一般給湯路１６に給湯するときには、給湯設定温度、貯湯出口サーミスタ１３および給水サーミスタ９の検出情報に基づいて、給湯する湯水の温度が給湯設定温度になるようにミキシングバルブ８の開度を調整するとともに、ミキシングサーミスタ１４の検出情報に基づいて、その検出温度と給湯設定温度との偏差に基づいてミキシングバルブ８の開度を微調整することにより、給湯設定温度の湯水を給湯するように構成されている。
また、浴槽に湯張りするときには、湯張り電磁弁２２を開弁させ、ミキシングバブル８にて湯張り設定温度に調整された湯水を風呂戻り路１８および風呂往き路１９の両路から浴槽に供給し、浴槽内に湯張り設定量の湯水が供給されると、湯張り電磁弁２２を閉弁させて浴槽への湯張りを行うように構成されている。
給湯操作手段Ｇが、貯湯出口サーミスタ１３、給水サーミスタ９、ミキシングバルブ８、ミキシングサーミスタ１４、および、湯張り電磁弁２２などにより構成されている。
【００２１】
前記循環路３と貯湯タンク１とが、循環路３を通流する湯水を貯湯タンク１内に戻す、または、貯湯タンク１内の湯水を循環路３に取り出すために、貯湯タンク１の上部１箇所と底部２箇所の合計３箇所で連通接続されている。
具体的に説明すると、貯湯タンク１の上部には、循環路３と貯湯タンク１とを接続する上部接続路２５が給湯路６の上流側を介して連通接続され、貯湯タンク１の底部には、循環路３を通流する湯水を給水路５の下流側を介して貯湯タンク１内の底部に戻す戻し路２６と、貯湯タンク１内の底部の湯水を循環路３に取り出す取り出し路２７とが連通接続されている。
【００２２】
そして、上部接続路２５には、上部開閉弁２８が設けられ、戻し路２６には、戻し開閉弁２９が設けられ、上部開閉弁２８を開弁させることによって、循環路３を通流する湯水を貯湯タンク１内の上部に供給したり、貯湯タンク１内の上部の湯水を循環路３に取り出したりするようにし、戻し開閉弁２９を開弁させることによって、循環路３を通流する湯水を貯湯タンク１内の底部に戻すことができるようにしている。
ちなみに、取り出し路２７には、貯湯タンク１内の湯水を排水するための排水路３０が接続され、その排水路３０の途中部には、安全弁３１と手動バルブ３２とが並列に接続されている。
【００２３】
前記加熱部４は、エンジンヒートポンプ式冷暖房装置Ｂによる冷媒を供給して湯水を加熱するヒートポンプ式加熱部３３と、エンジンヒートポンプ式冷暖房装置Ｂのエンジン排熱を回収した冷却水を供給して湯水を加熱するエンジン排熱利用式加熱部３４と、バーナ３６の燃焼により湯水を加熱する補助熱源装置としての補助加熱部３５とから構成されている。
前記ヒートポンプ式加熱部３３、エンジン排熱利用式加熱部３４、および、補助加熱部３５の夫々が熱交換式の湯水加熱手段として構成され、これら複数の加熱部３３，３４，３５の夫々にて湯水通流路としての循環路３を通流する湯水を加熱するように設けられている。
そして、循環路３の湯水の循環方向において上流側から順に、ヒートポンプ式加熱部３３、エンジン排熱利用式加熱部３４、補助加熱部３５が設けられている。
【００２４】
前記補助加熱部３５は、ガス燃焼式のバーナ３６およびこのバーナ３６に燃焼用空気を供給するファン３７などが設けられ、バーナ３６の燃焼により循環路３を通流する湯水を加熱するように構成されている。
前記バーナ３６に燃料ガスを供給する燃料供給路３８には、上流側から、ガスセフティ弁３９、ガス比例弁４０、ガスメイン弁４１の順に設けられ、また、補助加熱部３５には、補助加熱部３５に通流する湯水の流量を検出する水量センサ６４が設けられている。
ちなみに、補助加熱部３５は、水量センサ６４にて設定量以上の水量が検出されると、バーナ３６の燃焼を開始し、入り温度サーミスタ６１および水量センサ６４の検出情報に基づいて、ファン３７の回転速度およびガス比例弁４０の開度を調整して、補助加熱部３５にて加熱した湯水の温度を調整するように構成されている。
【００２５】
前記外部放熱部２は、循環路３を通流する湯水と暖房用の熱媒としての温水とを熱交換する暖房用放熱部４２と、循環路３を通流する湯水と浴槽内の湯水とを熱交換して追焚きする風呂用放熱部４３とから構成されている。
そして、循環路３が、暖房用放熱部４２を備えた暖房用循環路３ａと、風呂用放熱部４３を備えた風呂用循環路３ｂとに分岐され、暖房用放熱部４２と風呂用放熱部４３とが並列に接続されている。
また、暖房用循環路３ａには、暖房用放熱部４２よりも湯水の循環方向の上流側に暖房用開閉弁４４が設けられ、風呂用循環路３ｂには、風呂用放熱部４３よりも湯水の循環方向の上流側に風呂用開閉弁４５が設けられている。
【００２６】
前記暖房用放熱部４２には、暖房ポンプＰ２を作動させることにより、暖房戻り路４６および暖房往き路４７を通して循環する熱媒を循環路３を通流する湯水にて加熱するように構成されている。
そして、暖房戻り路４６には、熱媒の循環方向の上流側から順に、暖房戻り路４６の熱媒の温度を検出する暖房戻りサーミスタ４８、補給水タンク４９、暖房ポンプＰ２が設けられ、暖房往き路４７には、暖房往き路４７の熱媒の温度を検出する暖房往きサーミスタ５０が設けられ、暖房操作手段Ｊが、暖房戻りサーミスタ４８や暖房ポンプＰ２などにより構成されている。
【００２７】
前記補給水タンク４９には、水位の上限を検出する上限センサ５１と下限を検出する下限センサ５２とが設けられ、補給水タンク４９に給水するためのタンク給水路５３が接続され、そのタンク給水路５３には、補給水電磁弁５４が設けられている。
また、暖房戻り路４６からの熱媒を暖房用放熱部４２を迂回して暖房往き路４７に供給する暖房バイパス路５５が設けられている。
【００２８】
前記風呂用放熱部４３には、風呂ポンプＰ３を作動させることにより、風呂戻り路１８および風呂往き路１９を通して循環する浴槽内の湯水を循環路３を通流する湯水にて加熱するように構成されている。
前記風呂戻り路１８には、浴槽内の湯水の循環方向の上流側から順に、浴槽内の湯水の水位を検出する水位センサ５６、風呂戻り路１８の湯水の温度を検出する風呂戻りサーミスタ５７、二方弁５８、風呂ポンプＰ３、風呂水流スイッチ５９が設けられ、風呂ポンプＰ３を作動させて、浴槽内の湯水を風呂戻り路１８および風呂往き路１９にて循環させながら、風呂用放熱部４３にて加熱しながら追焚きするように構成されている。
そして、風呂操作手段Ｈが、水位センサ５６、風呂戻りサーミスタ５７、風呂ポンプＰ３などにより構成されている。
【００２９】
前記循環路３には、湯水の循環方向において取り出し路２７との接続箇所よりも上流側に、取り出し路２７を通して貯湯タンク１内の湯水を循環路３に取り出すための取り出し開閉弁６０が設けられ、エンジン排熱利用式加熱部３４と補助加熱部３５との間に、補助加熱部３５に通流する湯水の温度を検出する入り温度サーミスタ６１、循環路３を通流する湯水の循環流量を検出する循環流量センサ６２、循環ポンプＰ１、補助加熱部３５への湯水の通流を断続する補助用断続開閉弁６３が設けられている。
また、循環路３における補助加熱部３５と上部接続路２５との接続箇所との間には、循環路３を通流する湯水の循環流量を調整する循環用水比例バルブ６５、加熱部４にて加熱された後の循環路３の湯水の温度を検出する貯湯サーミスタ６６が設けられている。
【００３０】
そして、循環流量センサ６２の検出情報に基づいて、循環用水比例バルブ６５の開度を調整することにより循環路３における循環流量を調整するように構成され、貯湯サーミスタ６６の検出情報に基づいて、循環路３における循環流量や補助加熱部３５における加熱量などを調整することにより加熱部４にて加熱された後の循環路３を通流する湯水の温度を調整自在に構成され、循環調整手段Ｆが、循環流量センサ６２、循環用水比例バルブ６５、貯湯サーミスタ６６などにより構成されている。
【００３１】
前記循環路３には、取り出し開閉弁６０よりも湯水の循環方向の上流側と、ヒートポンプ式加熱部３３とエンジン排熱利用式加熱部３４との間をバイパスするヒートポンプバイパス路６７が設けられ、このヒートポンプバイパス路６７に設けられたヒートポンプバイパス開閉弁６９を開弁させて、ヒートポンプバイパス路６７に湯水を通流させて、ヒートポンプ式加熱部３３を迂回して湯水を循環させるようにしている。
また、補助加熱部３５を迂回させて湯水を循環させるための補助用バイパス路６８が、循環路３において、循環ポンプＰ１と補助用断続開閉弁６３との間と補助加熱部３５と循環用水比例バルブ６５との間をバイパスするように接続され、この補助用バイパス路６８には、補助バイパス開閉弁７０が設けられている。
【００３２】
このようにして、取り出し開閉弁６０、上部開閉弁２８、戻し開閉弁２９、補助用断続開閉弁６３、補助バイパス開閉弁７０などの夫々の開閉弁を開閉制御することにより、貯湯タンク１の底部から取り出した湯水をヒートポンプ式加熱部３３にて加熱したのち、その温水を貯湯タンク１の上部に戻したり、貯湯タンク１の底部から取り出した湯水を補助加熱部３５にて加熱したのち、その温水を貯
湯タンク１の上部に戻すように構成されている。
湯水循環手段Ｅが、循環路３、循環ポンプＰ１、および、取り出し開閉弁６０、上部開閉弁２８、戻し開閉弁２９などの複数の開閉弁により構成されている。
【００３３】
前記エンジンヒートポンプ式冷暖房装置Ｂは、図２に示すように、複数の室内機７１、室外機７２、室内機７１および室外機７２の運転を制御するヒートポンプ運転制御部Ｄとから構成され、複数の空調対象空間（例えば、各部屋）を空調することができるように構成されている。
また、室内機７１と室外機７２と貯湯ユニットＡにおけるヒートポンプ式加熱部３３とは、冷媒配管７３で接続され、エンジンヒートポンプ式冷暖房装置Ａにおける冷媒をヒートポンプ式加熱部３３に供給できるように構成されている。
【００３４】
前記複数の室内機７１の夫々には、電子膨張弁７４、室内熱交換器７５、その室内熱交換器７５で温調した空気を空調対象空間へ送出する室内空調用送風機７６が備えられ、室内熱交換器７５にて凝縮された冷媒の温度を検出する冷媒サーミスタ８９の検出情報に基づいて、電子膨張弁７４の開度を調整するようにしている。
前記室外機７２には、ガスエンジン７７、圧縮機７８、アキュムレータ７９、四方弁８０、室外熱交換器８１、その室外熱交換器に対し外気を通風する室外空調用送風機８２が備えられ、ガスエンジン７７の排熱を外部に放熱するためのラジエーター８３、および、ラジエーター用送風機８４も備えられている。
ヒートポンプ運転手段Ｋが、電子膨張弁７４、室内空調用送風機７６、ガスエンジン７７、圧縮機７８、四方弁８０、室外空調用送風機８２などにより構成されている。
【００３５】
また、ガスエンジン７７の冷却用の冷却水をラジエーター８３との間で循環させる冷却水路８５が設けられ、この冷却水路８５にラジエーター用ポンプＰ４が設けられ、ガスエンジン排熱を回収した冷却水を、加熱供給路９０を通してエンジン排熱利用式加熱部３４に供給する加熱状態とラジエーター８３に供給して排熱される排熱状態とに切り換え自在な排熱切換機構８６が設けられている。
冷却水循環手段Ｌが、ラジエーター用ポンプＰ４、排熱切換機構８６、ラジエーター用送風機８４などにより構成されている。
【００３６】
そして、エンジンヒートポンプ式冷暖房装置Ｂは、空調リモコンＲ１の指令に基づいてヒートポンプ運転制御部Ｄにて運転が制御され、ガスエンジン７７により圧縮機７８を作動させて、四方弁８０の切換え操作により空調冷房運転と空調暖房運転とを選択切換え自在に構成され、室内機７１の電子膨張弁７４の開閉制御により、空調要求のある部屋の空調を行うように構成されている。
また、ヒートポンプ式加熱部３３にて循環路３の湯水を加熱するときには、空調暖房運転させるとともに、加熱用電子膨張弁７４ａを制御して、ヒートポンプ式加熱部３３に冷媒を供給するように構成されている。
【００３７】
前記空調冷房運転においては、室内熱交換器７５を蒸発器として機能させて、空調対象空間への供給空気を冷却温調し、室外熱交換器８１を凝縮器として機能させて外気に対して放熱するようにしている。
この空調冷房運転では、低圧側の冷媒の圧力を検出する低圧検出手段８７の検出情報に基づいて、その検出圧力が冷房用の目標圧力になるようにガスエンジン７７の回転速度を検出する回転速度センサ７７ａの検出情報に基づいてガスエンジン７７の回転速度を制御するようにしている。
また、空調冷房運転において、排熱切換機構８６を加熱状態に切り換えることによって、エンジン排熱利用式加熱部３４にて循環路３を通流する湯水を加熱するようにしている。
【００３８】
前記空調冷房運転における冷媒の流れについて説明を加えると、図２の実線矢印に示すように、圧縮機７８から吐出される高圧乾き蒸気冷媒を、四方弁８０を介して室外熱交換器８１に供給し、この室外熱交換器８１において外気との熱交換により凝縮される。
そして、室外熱交換器８１から送出される凝縮工程通過冷媒を、電子膨張弁７４を介して室内熱交換器７５に供給し、この室内熱交換器７５において冷却対象空気との熱交換により蒸発される。
その後、室内熱交換器７５から送出される低圧乾き蒸気冷媒を、四方弁８０およびアキュムレータ７９を介して圧縮機７８の吸入口に戻す。
【００３９】
前記空調暖房運転においては、室内熱交換器７５を凝縮器として機能させて、空調対象空間への供給空気を加熱温調し、室外熱交換器８１を蒸発器として機能させて外気から吸熱するようにしている。
この空調暖房運転では、高圧側の冷媒の圧力を検出する高圧検出手段８８の検出情報に基づいて、その検出圧力が暖房用の目標圧力になるように回転速度センサ７７ａの検出情報に基づいてガスエンジン７７の回転速度を制御するようにしている。
また、この空調暖房運転において、冷媒配管７３を通してヒートポンプ式加熱部３３に高圧冷媒を供給することにより循環路３を通流する湯水を加熱するようにしている。
【００４０】
前記空調暖房運転における冷媒の流れについて説明を加えると、図２の点線矢印に示すように、圧縮機７８から吐出される高圧乾き蒸気冷媒を、四方弁８０を介して室内熱交換器７５およびヒートポンプ式加熱部３３に供給し、室内熱交換器７５においては加熱対象空気との熱交換により凝縮され、ヒートポンプ式加熱部３３においては循環路３の湯水との熱交換により凝縮される。
そして、室内熱交換器７５およびヒートポンプ式加熱部３３から送出される凝縮工程通過冷媒を、電子膨張弁７４および加熱用電子膨張弁７４ａを介して室外熱交換器８１に供給し、この室外熱交換器８１において外気との熱交換により蒸発される。
その後、室外熱交換器８１から送出される低圧乾き蒸気冷媒を四方弁８０およびアキュムレータ７９を介して圧縮機７８の吸入口に戻す。
【００４１】
前記貯湯ユニット制御部Ｃとヒートポンプ運転制御部Ｄとは、エンジンヒートポンプ式冷暖房装置Ｂが空調運転中であることや、エンジンヒートポンプ式冷暖房装置Ｂへの駆動要求などの制御信号を送受信可能に構成にされ、貯湯ユニット制御部Ｃとヒートポンプ運転制御部Ｄとにより運転制御手段Ｕが構成されている。
そして、貯湯ユニット制御部Ｃとヒートポンプ運転制御部Ｄは、図３に示すように、空調対象空間としての各部屋に設置されている空調リモコンＲ１や貯湯リモコンＲ２の指令に基づいて、空調対象空間への空調冷房運転や空調暖房運転などの空調運転、貯湯タンク１内に湯水を貯湯する貯湯運転、外部放熱部２にて放熱する放熱運転、貯湯タンク１内の貯湯量が最低確保量未満のときに給湯する給湯優先運転などの夫々の運転を実行するように構成されている。
【００４２】
また、貯湯運転および放熱運転における追焚き運転においては、空調排熱運転モード、ＨＰ運転モード、ＨＰ＋補助加熱運転モード、補助加熱運転モードのうち、実行可能な運転モードから貯湯リモコンＲ２にて選択された運転モードにて運転を実行するように構成され、湯水供給箇所としての貯湯タンク１に貯湯設定温度の湯水を目標貯湯量供給し、また、湯水供給箇所としての風呂用放熱部４３に追焚き用供給温度の湯水を供給して、湯水供給箇所に供給される湯水が目標熱量状態となるように加熱部４の運転を制御するように構成されている。
すなわち、前記貯湯ユニット制御部Ｃが、エンジン排熱利用式加熱部３４のみにて循環路３を通流する湯水を加熱する空調排熱運転モード、ヒートポンプ式加熱部３３のみにて循環路３を通流する湯水を加熱するＨＰ運転モード、ヒートポンプ式加熱部３３および補助加熱部３５にて循環路３を通流する湯水を加熱するＨＰ＋補助加熱運転モード、補助加熱部３５のみにて循環路３を通流する湯水を加熱する補助加熱運転モードの４つの運転モードを備えて構成されている。
【００４３】
前記貯湯リモコンＲ２には、図４に示すように、貯湯ユニットＡの運転を開始させる運転スイッチ１００、貯湯タンク１に貯湯するための貯湯スイッチ１０１、浴槽内の湯水を追焚きするための追焚きスイッチ１０２、貯湯運転および追焚き運転において、実行可能な運転モードや、実際に複数の加熱部３３，３４，３５を運転させたときの設定期間内における総合効率などを表示する表示部１０３、実行可能な運転モードからひとつの運転モードを人為的に選択可能な運転モード選択手段としての選択スイッチ１０４が設けられている。
そして、貯湯スイッチ１０１または追焚きスイッチ１０２をＯＮ操作するに伴って、複数の運転モードの夫々について、実行可能な運転モードであるか、または、実行不可能な運転モードであるかを表示し、選択スイッチ１０４により実行可能な運転モードから実際に運転する運転モードを選択するようにしている。
なお、貯湯リモコンＲ２には、図示はしないものの、貯湯タンク１に貯湯するときの貯湯設定温度や目標貯湯量なども設定できるように構成されている。
【００４４】
前記表示部１０３は、複数の運転モードのうち、現在実行可能な運転モードを表示する運転モード表示部１０３ａ、実行可能な各運転モードにて運転したときの予測効率を表示する予測効率表示部１０３ｂ、実行可能な各運転モードにて運転したときの運転完了時間を表示する運転完了時間表示部１０３ｃ、実際に複数の加熱部３３，３４，３５を運転させたときの設定期間内における総合効率、エネルギー消費量、および、エネルギーコストを表示する総合効率表示部１０３ｄとから構成されている。
【００４５】
以下、運転モード表示部１０３ａ、予測効率表示部１０３ｂ、運転完了時間表示部１０３ｃ、総合効率表示部１０３ｄの夫々の表示について説明する。
【００４６】
前記運転モード表示部１０３ａの表示について説明を加える。
前記ヒートポンプ式加熱部３３、エンジン排熱利用式加熱部３４、補助加熱部３５の夫々は、夫々に対応して予め設定されている運転開始用条件があり、この運転開始用条件が満たされると、運転開始許容状態となる。
そして、運転モード表示部１０３ａには、ヒートポンプ式加熱部３３、エンジン排熱利用式加熱部３４、補助加熱部３５のうち、運転開始許容状態となっている加熱部に基づいて、４つの運転モードのうち、実行可能な運転モードを表示するようにしている。
ちなみに、図４に示しているものは、空調排熱運転モードおよび補助加熱運転モードが実行可能で、ＨＰ運転モードおよびＨＰ＋補助加熱運転モードが実行不可能な場合を例示している。
【００４７】
すなわち、貯湯タンク１に貯湯するときには、図８の（イ）に示すように、外気温度、加熱部に供給される湯水の温度である給水温度、暖房用放熱部４２にて放熱する暖房運転中であるか否かの暖房使用、エンジンヒートポンプ式冷暖房装置Ｂが空調運転中であるか否かの空調使用、貯湯タンク１に貯湯する貯湯量である沸かし量などの諸条件によって、空調排熱運転モード、ＨＰ運転モード、ＨＰ＋補助加熱運転モード、補助加熱運転モードの夫々の運転モードが実行可能であるか否かを表示するようにしている。
また、浴槽内の湯水を追焚きするときには、図８の（ロ）に示すように、給水温度、暖房使用、空調使用などの諸条件によって、空調排熱運転モード、ＨＰ運転モード、ＨＰ＋補助加熱運転モード、補助加熱運転モードの夫々の運転モードが実行可能であるか否かを表示するようにしている。
【００４８】
各運転モードが実行可能であるか否かの判別について、追焚き運転を例に挙げて図８の（ロ）に基づいて説明すると、補助加熱運転モードは、常に実行可能であり、空調排熱運転モードは、外気温度が４℃以上で、暖房運転中ではなく、空調運転が空調冷房運転であるかまたは空調暖房運転のときの暖房負荷が小さいときに実行可能となる。
そして、ＨＰ運転モードおよびＨＰ＋補助加熱運転モードは、外気温度が４℃以上、給水温度が３５℃以下、暖房運転中ではなく、さらに、空調運転中でもないときに実行可能となる。
【００４９】
前記予測効率表示部１０３ｂの表示について説明を加えると、この予測効率表示部１０３ｂには、実行可能な運転モードについて、その運転モードにて運転させたときの予測効率を表示するようにしている。
なお、効率とは、加熱能力を与えたガスのみのエネルギー量で割ったもののことを示している。
ちなみに、運転させたときの効率が一番高いものは、空調排熱運転モードとなっており、以下、基本的には、ＨＰ運転モード、ＨＰ＋補助加熱運転モード、補助加熱運転モードの順に効率が低くなっている。。
【００５０】
予測効率の求め方について夫々の運転モードにおいて説明を加える。
前記空調排熱運転モードにおいては、図８の（ハ）に示されている係数および数式を用いて、空調冷房運転時には冷房効率と給湯効率を求め、空調暖房時には暖房効率と給湯効率を求め、さらに、冷房効率または暖房効率については、図１１の空調負荷率と効率との関係から負荷率１．０のときの効率に対する現在の負荷率時の効率の比を冷房効率または暖房効率に乗算して現在の負荷率における冷房効率または暖房効率を求める。
そして、空調冷房時には、現在の負荷率における冷房効率に給湯効率を加算し、空調暖房時には、現在の負荷率における暖房効率に給湯効率を加算して予測効率を算出する。
【００５１】
具体的に、外気温度が１５℃、負荷率が０．４、空調暖房運転を実行しているときを例に挙げて説明すると、まず、図８の（ハ）の空調暖房運転における暖房の係数を用いて外気温度が１５℃のときの暖房効率を求めると、暖房効率＝０．０２５×１５＋０．８２５＝１．２となり、そして、図１１のグラフから空調暖房運転の負荷率が０．４であるから、現在の負荷率における暖房効率＝１．２×０．８／１．０８＝０．８８９となる。
そして、図８の（ハ）の空調暖房運転における給湯の係数を用いて外気温度１５℃のときの給湯効率を求めると、給湯効率＝０．０１３×１５＋０．４１３＝０．６０８となり、予測効率＝現在の負荷率における暖房効率＋給湯効率を用いて、予測効率＝０．８８９＋０．６０８＝１．４９７と求めるようにしている。
【００５２】
前記ＨＰ運転モードにおいては、貯湯タンク１に貯湯する沸かし量と効率の関係を示す図９のグラフを用いて、外気温度、沸かし量、および、貯湯タンク１に貯湯する貯湯設定温度から貯湯運転のときの予測効率を求め、浴槽温度と効率との関係を示す図１０のグラフを用いて、外気温度および浴槽温度から追焚き運転のときの予測効率を求めるようにしている。
具体的に数値を用いて説明すると、外気温度が１５℃、沸かし量が６０リットル、貯湯設定温度が６０℃のときには、図９のグラフから貯湯運転のときの予測効率は１．２１となり、また、外気温度が１５℃、浴槽温度が１５℃のときには、図１０のグラフから追焚き運転のときの予測効率は１．０５となる。
なお、図９において（６０）、（７０）は貯湯設定温度を示し、７℃、１５℃、３５℃は外気温度を示している。
【００５３】
前記ＨＰ＋補助加熱運転モードにおいては、ＨＰ単独で加熱したときのＨＰ効率と補助単独で加熱したときの補助効率とを夫々求め、ＨＰ効率と補助効率との平均値を予測効率としている。
そのＨＰ効率は、上述のＨＰ運転モードにおける予測効率に相当し、その求め方は、上述のＨＰ運転モードと同様である。また、補助効率は、補助加熱部３５の加熱能力を与えるガス量で割ったものであるが、その値は、ほぼ一定の値となる。
前記補助加熱運転モードにおいては、上述のＨＰ＋補助加熱運転モードにおける補助効率が予測効率となり、その求め方は、上述の補助効率と同様である。
【００５４】
前記運転完了時間表示部１０３ｃの表示について説明を加える。
この運転完了時間表示部１０３ｃには、実行可能な運転モードにて貯湯運転または追焚き運転させたときの運転完了時間を表示するようにしている。
そして、運転完了時間は、必要とする全加熱量を実行可能な運転モードにて運転したときの加熱能力にて除算した時間としている。
ちなみに、運転させたときの運転時間が一番短いのは、基本的に、補助加熱運転モードとなっており、以下、基本的に、ＨＰ＋補助加熱運転モード、ＨＰ運転モード、空調排熱運転モードの順に運転時間が長くなっている。
【００５５】
すなわち、各運転モードにおいて、外気温度や加熱部に供給される湯水の温度などの諸条件などで定まる加熱能力を求めるために、諸条件と加熱能力との関係などが示されているグラフが多数用意されており、それらのグラフなどを用いることによって、各運転モードにおける運転完了時間を求めるようにしている。
前記加熱能力の求め方について、貯湯タンク１に貯湯する貯湯設定温度が６０℃で貯湯運転するときの例を挙げて外気温度と加熱能力との関係を示す図１２のグラフを用いて説明すると、空調排熱運転モードにおいては、図１２のグラフにおける温水加熱能力と外気温度との関係を用いて、外気温度から加熱能力を求め、ＨＰ運転モードにおいては、図１２のグラフにおける冷媒加熱能力と外気温度との関係を用いて、外気温度から加熱能力を求めるようにしている。
【００５６】
前記総合効率表示部１０３ｄの表示について説明を加える。
前記総合効率表示部１０３ｄには、実際に貯湯運転や追焚き運転させたときの設定期間（例えば、１ヶ月）内の総合効率、エネルギー消費量、および、エネルギーコストを表示するようにしている。
総合効率の求め方について説明すると、実際に貯湯運転や追焚き運転したときの運転毎の仕事量（加熱量）とその運転における効率から実際に使用されたガス量を運転毎に求め、その求められたガス量を例えば、１ヶ月間で合計してトータルガス量を算出し、運転毎の仕事量（加熱量）も例えば、１ヶ月間で合計してトータル仕事量を算出する。
そして、トータル仕事量をトータルガス量にて除算して総合効率を求めるようにしている。
また、エネルギー消費量は、設定期間内（例えば、１ヶ月間）に実際に必要となったガス量、すなわちトータルガス量に相当するものであり、エネルギーコストは、そのトータルガス量のガス料金に相当するものである。
【００５７】
前記エンジンヒートポンプ式冷暖房装置Ｂの運転について説明すると、空調リモコンＲ１から空調冷房要求や空調暖房要求などの空調要求があると、ヒートポンプ運転制御部Ｄがヒートポンプ運転手段Ｋおよび冷却水循環手段Ｌの運転を制御し、空調リモコンＲ１による空調要求に基づいて、ガスエンジン７７により圧縮機７８を作動させて、四方弁８０の切換え操作により空調冷房運転と空調暖房運転とを選択切換え、室内機７１の電子膨張弁７４の開閉制御により、各空調対象空間への空調を切り換えて、ヒートポンプ運転手段Ｋを制御するように構成されている。
すなわち、ヒートポンプ運転制御部Ｄは、空調リモコンＲ１から空調冷房要求があると、空調冷房要求がある部屋に相当する電子膨張弁７４を開状態にして、室内熱交換器７５を蒸発器として機能させて、空調対象空間への供給空気を冷却温調し、室外熱交換器８１を凝縮器として機能させて外気に対して放熱させるように、ヒートポンプ運転手段Ｋを制御して空調冷房運転を実行する。
また、ヒートポンプ運転制御部Ｄは、空調リモコンＲ１から空調暖房要求があると、空調暖房要求がある部屋に相当する電子膨張弁７４を開状態にして、室内熱交換器７５を凝縮器として機能させて、空調対象空間への供給空気を加熱温調し、室外熱交換器８１を蒸発器として機能させて外気から吸熱させるように、ヒートポンプ運転手段Ｋを制御して空調暖房運転を実行する。
【００５８】
次に、貯湯ユニットＡの運転について説明すると、貯湯リモコンＲ２の要求指令などに基づいて、貯湯ユニット制御部Ｃが、湯水循環手段Ｅ、循環調整手段Ｆ、給湯操作手段Ｇ、風呂操作手段Ｈ、暖房操作手段Ｊ、補助熱交換部３５の夫々の運転を制御して、貯湯運転、追焚き運転、暖房運転、および、給湯優先運転などの夫々の運転を実行するように構成されている。
【００５９】
以下、貯湯運転、追焚き運転、暖房運転、給湯優先運転の夫々について説明するが、湯水循環手段Ｅにおける、上部開閉弁２８、戻し開閉弁２９、取り出し開閉弁６０、ヒートポンプバイパス弁６９、補助用断続開閉弁６３、および、補助バイパス開閉弁７０の開閉状態について、開弁させる開閉弁のみを記載し、記載していない開閉弁については閉弁させるものとする。
【００６０】
前記貯湯運転は、空調排熱運転モード、ＨＰ運転モード、ＨＰ＋補助加熱運転モード、補助加熱運転モードのうち、実行可能な運転モードから貯湯リモコンＲ２にて使用者が選択した運転モードにて、貯湯タンク１の底部から取り出した湯水を加熱部４にて加熱したのち、その温水を貯湯タンク１の上部に戻す形態で貯湯タンク１に貯湯するようにしている。
また、貯湯運転中に、貯湯タンク１の貯湯量が貯湯リモコンＲ２などにより設定された目標貯湯量になると、設定時間貯湯タンク１への貯湯を継続したのち、加熱部２の運転を停止するとともに、循環ポンプＰ１の作動を停止させかつ開弁している開閉弁を閉弁させて湯水循環手段Ｅの運転を停止させるようにしている。
【００６１】
前記空調排熱運転モードにおける貯湯運転について説明すると、図１に示すように、ガスエンジン７７の冷却水をエンジン排熱利用式加熱部３４に供給するように排熱切換機構８６を加熱状態に切り換えるとともに、補助バイパス開閉弁７０および上部開閉弁２８を開弁させ、循環ポンプＰ１を作動させて、図中の実線矢印に示すように、貯湯タンク１の底部から取り出した湯水をエンジン排熱利用式加熱部３４のみにて加熱したのち、その湯水を貯湯タンク１の上部に戻すようにしている。
また、貯湯タンク１の上部に貯湯される湯水の温度が貯湯設定温度になるように、貯湯サーミスタ６６の検出情報に基づいて循環用水比例バルブ６５の開度を調整するようにしている。
【００６２】
前記ＨＰ運転モードにおける貯湯運転について説明すると、図５に示すように、加熱用電子膨張弁７４ａを開状態に制御して、エンジンヒートポンプ式冷暖房装置Ｂを空調暖房運転させて、ヒートポンプ式加熱部３３に冷媒を供給させるとともに、補助バイパス開閉弁７０および上部開閉弁２８を開弁させ、循環ポンプＰ１を作動させて、図中の実線矢印に示すように、貯湯タンク１の底部から取り出した湯水をヒートポンプ式加熱部３３のみにて加熱したのち、その湯水を貯湯タンク１の上部に戻すようにしている。
また、貯湯タンク１の上部に貯湯される湯水の温度が貯湯設定温度になるように、貯湯サーミスタ６６の検出情報に基づいて循環用水比例バルブ６５の開度を調整するようにしている。
【００６３】
前記ＨＰ＋補助加熱運転モードにおける貯湯運転について説明すると、図６に示すように、加熱用電子膨張弁７４ａを開状態に制御して、エンジンヒートポンプ式冷暖房装置Ｂを空調暖房運転させて、ヒートポンプ式加熱部３３に冷媒を供給させるとともに、補助用断続開閉弁６３および上部開閉弁２８を開弁させ、循環ポンプＰ１を作動させて、図中の実線矢印に示すように、貯湯タンク１の底部から取り出した湯水をヒートポンプ式加熱部３３および補助加熱部３５にて加熱したのち、その湯水を貯湯タンク１の上部に戻すようにしている。
また、貯湯タンク１の上部に貯湯される湯水の温度が貯湯設定温度になるように、補助加熱部３５におけるファン３７の回転速度およびガス比例弁４０の開度を調整するようにしている。
【００６４】
前記補助加熱運転モードにおける貯湯運転について説明すると、図７に示すように、補助用断続開閉弁６３および上部開閉弁２８を開弁させ、循環ポンプＰ１を作動させて、図中の実線矢印に示すように、貯湯タンク１の底部から取り出した湯水を補助加熱部３５のみにて加熱したのち、その湯水を貯湯タンク１の上部に戻すようにしている。
また、貯湯タンク１の上部に貯湯される湯水の温度が貯湯設定温度になるように、補助加熱部３５におけるファン３７の回転速度およびガス比例弁４０の開度を調整するようにしている。
【００６５】
前記追焚き運転は、風呂ポンプＰ３を作動させて浴槽内の湯水を風呂戻り路１８および風呂往き路１９を通して循環させながら風呂用放熱部４３に供給するとともに、加熱部４にて加熱した湯水を風呂用放熱部４３に供給し、その風呂用放熱部４３を通過した湯水の全量を貯湯タンク１を迂回して加熱部４に戻す形態で湯水を循環させて、風呂用放熱部４３において循環路３の湯水にて浴槽内の湯水を加熱して追焚きするようにしている。
【００６６】
そして、空調排熱運転モード、ＨＰ運転モード、ＨＰ＋補助加熱運転モード、補助加熱運転モードのうち、実行可能な運転モードから貯湯リモコンＲ２にて使用者が選択した運転モードにて、加熱部４にて加熱した湯水を風呂用放熱部４３に供給し、その風呂用放熱部４３を通過した湯水の全量を貯湯タンク１を迂回して加熱部４に戻す形態で追焚きするようにしている。
また、追焚き運転中に、風呂戻りサーミスタ５７の検出温度が追焚き用設定温度になると、加熱部４の運転を停止させるとともに、循環ポンプＰ１の作動を停止させかつ開弁している開閉弁を閉弁させて湯水循環手段Ｅの運転を停止させるようにしている。
【００６７】
前記空調排熱モードにおける追焚き運転について説明すると、図１に示すように、ガスエンジン７７の冷却水をエンジン排熱利用式加熱部３４に供給するように排熱切換機構８６を加熱状態に切り換えるとともに、補助バイパス開閉弁７０、風呂開閉弁４５およびヒートポンプバイパス開閉弁６９を開弁させ、循環ポンプＰ１を作動させて、図中の斜線部分および点線矢印に示すように、エンジン排熱利用式加熱部３４のみにて加熱した湯水の全量を風呂用放熱部４３に供給し、かつ、その風呂用放熱部４３を通過した湯水をエンジン排熱利用式加熱部３４に戻すようにしている。
また、風呂用放熱部４３に供給される湯水の温度が追焚き用供給温度になるように、貯湯サーミスタ６６の検出情報に基づいて循環用水比例バルブ６５の開度を調整するようにしている。
【００６８】
前記ＨＰ運転モードにおける追焚き運転について説明すると、図５に示すように、加熱用電子膨張弁７４ａを開状態に制御して、エンジンヒートポンプ式冷暖房装置Ｂを空調暖房運転させて、ヒートポンプ式加熱部３３に冷媒を供給させるとともに、補助バイパス開閉弁７０、風呂用開閉弁４５および取り出し開閉弁６０を開弁させ、循環ポンプＰ１を作動させて、図中の斜線部分および点線矢印に示すように、ヒートポンプ式加熱部３３のみにて加熱した湯水の全量を風呂用放熱部４３に供給し、かつ、その風呂用放熱部４３を通過して湯水をヒートポンプ式加熱部３３に戻すようにしている。
また、風呂用放熱部４３に供給される湯水の温度が追焚き用供給温度になるように、貯湯サーミスタ６６の検出情報に基づいて循環用水比例バルブ６５の開度を調整するようにしている。
【００６９】
前記ＨＰ＋補助加熱運転モードにおける追焚き運転について説明すると、図６に示すように、加熱用電子膨張弁７４ａを開状態に制御して、エンジンヒートポンプ式冷暖房装置Ｂを空調暖房運転させて、ヒートポンプ式加熱部３３に冷媒を供給させるとともに、補助用断続開閉弁６３、風呂用開閉弁４５および取り出し開閉弁６０を開弁させ、循環ポンプＰ１を作動させて、図中の斜線部分および点線矢印に示すように、ヒートポンプ式加熱部３３および補助加熱部３５にて加熱した湯水の全量を風呂用放熱部４３に供給し、かつ、その風呂用放熱部４３を通過して湯水をヒートポンプ式加熱部３３および補助加熱部３５に戻すようにしている。
また、風呂用放熱部４３に供給される湯水の温度が追焚き用供給温度になるように、補助加熱部３５におけるファン３７の回転速度およびガス比例弁４０の開度を調整するようにしている。
【００７０】
前記補助加熱運転モードにおける追焚き運転について説明すると、図７に示すように、補助用断続開閉弁６３、風呂用開閉弁４５およびヒートポンプバイパス開閉弁６９を開弁させ、循環ポンプＰ１を作動させて、図中の斜線部分および点線矢印に示すように、補助加熱部３５のみにて加熱した湯水の全量を風呂用放熱部４３に供給し、かつ、その風呂用放熱部４３を通過して湯水を補助加熱部３５に戻すようにしている。
また、風呂用放熱部４３に供給される湯水の温度が追焚き用供給温度になるように、補助加熱部３５におけるファン３７の回転速度およびガス比例弁４０の開度を調整するようにしている。
【００７１】
前記暖房運転は、暖房ポンプＰ２を作動させて図外の暖房端末からの熱媒を暖房戻り路４６および暖房往き路４７を通して循環させながら暖房用放熱部４２に供給するとともに、補助加熱部３５にて加熱した湯水を暖房用放熱部４２に供給し、その暖房用放熱部４２を通過した湯水を補助加熱部３５に戻す形態で湯水を循環させて、暖房用放熱部４２において循環路３の湯水にて暖房用の熱媒を加熱して暖房するようにしている。
【００７２】
具体的に説明すると、補助用断続開閉弁６３、風呂用開閉弁４５およびヒートポンプバイパス開閉弁６９を開弁させ、循環ポンプＰ１を作動させて、補助加熱部３５のみにて加熱した湯水の全量を風呂用放熱部４３に供給し、かつ、その風呂用放熱部４３を通過して湯水を補助加熱部３５に戻すようにしている。
また、暖房用放熱部４２に供給される湯水の温度が暖房用設定温度になるように、補助加熱部３５におけるファン３７の回転速度およびガス比例弁４０の開度を調整するようにしている。
【００７３】
前記給湯優先運転は、貯湯タンク１内の貯湯量が最低確保量未満のときに、図外の給湯栓などが開操作されて給湯するときに実行され、補助用断続開閉弁６３および上部開閉弁２８を開弁させて循環ポンプＰ１を作動させて、貯湯タンク１の底部から取り出した湯水を補助加熱部３５にて加熱したのち、その湯水を上部接続路２５から給湯路６に給湯する。
そして、給湯設定温度、貯湯出口サーミスタ１３および給水サーミスタ９の検出情報に基づいて、給湯する湯水の温度が給湯設定温度になるようにミキシングバルブ８の開度を調整するとともに、ミキシングサーミスタ１４の検出情報に基づいて、その検出温度と給湯設定温度との偏差に基づいてミキシングバルブ８の開度を微調整することにより、給湯設定温度の湯水を給湯するようにしている。
【００７４】
〔別実施形態〕
（１）上記実施形態では、貯湯リモコンＲ２の表示部１０３には、運転モード表示部１０３ａに表示された運転モードの夫々において、各運転モードにて運転させたときの予測効率を表示する予測効率表示部１０３ｂが設けられているが、これに代えて、運転モード表示部１０３ａに表示された運転モードのうち、ある運転モードにて運転させたときの効率と、他の運転モードにて運転させたときの効率との優劣関係を表示する効率優劣表示部を設けるようにして実施することも可能である。
すなわち、具体的には、上記実施形態における図４において、予測効率の欄を効率優先順位とし、実行可能な運転モードの中で、効率の高いものから順に、１，２などの数字を表示するようにして実施することが可能である。
【００７５】
（２）上記実施形態では、貯湯リモコンＲ２の表示部１０３に、予測効率表示部１０３ｂ、運転完了時間表示部１０３ｃ、総合効率表示部１０３ｄのすべてが設けられている例を示したが、予測効率表示部１０３ｂ、運転完了時間表示部１０３ｃ、総合効率表示部１０３ｄのうち、総合効率表示部１０３ｄを設けずに実施することも可能である。
【００７６】
（３）上記実施形態では、総合効率表示部１０３ｄに、総合効率に併せて、エネルギー消費量およびエネルギーコストを表示するようにしているが、エネルギー消費量およびエネルギーコストのうち、いずれか一方のみを表示したり、どちらも表示せずに実施することも可能である。
【００７７】
（４）上記実施形態における貯湯リモコンＲ２における表示については、実行可能な運転モードのみを点灯し、実行不可能な運転モードを消灯させるなど、適宜変更が可能であり、各種の表示方法が適応可能である。
【００７８】
（５）上記実施形態では、空調排熱運転モード、ＨＰ運転モード、ＨＰ＋補助加熱運転モード、補助加熱運転モードの４つの運転モードが備えられた例を示したが、例えば、これら４つの運転モードに、エンジン排熱利用式加熱部３４およびヒートポンプ式加熱部３３にて加熱する空調排熱＋ＨＰ運転モードを加えた５つの運転モードを備えたり、この空調排熱＋ＨＰ運転モードとＨＰ運転モードの２つの運転モードを備えたりするなど、運転モードの数、および、運転モードの種類は適宜変更が可能である。
【００７９】
（６）上記実施形態では、湯水加熱手段として、ヒートポンプ式加熱部３３、エンジン排熱利用式加熱部３４、補助加熱部３５の３つが設けられている例を示しているが、湯水加熱手段の数は２つでもよく、また、４つ以上でもよい。
【００８０】
（７）上記実施形態では、本発明にかかる給湯装置をエンジンヒートポンプ式冷暖房給湯システムに適応した例を示したが、複数の湯水加熱手段が設けらている給湯装置であれば適応可能であり、各種の給湯装置に適応して実施することが可能である。
【図面の簡単な説明】
【図１】空調排熱運転モードにおける貯湯ユニットの概略構成図
【図２】エンジンヒートポンプ式冷暖房装置の概略構成図
【図３】エンジンヒートポンプ式冷暖房給湯システムの制御ブロック図
【図４】貯湯リモコンの概略構成図
【図５】ＨＰ運転モードにおける貯湯ユニットの概略構成図
【図６】ＨＰ＋補助加熱運転モードにおける貯湯ユニットの概略構成図
【図７】補助加熱運転モードにおける貯湯ユニットの概略構成図
【図８】各運転モードの運転開始用条件表および運転効率を示す表
【図９】ＨＰ貯湯時の効率と沸かし量との関係を示すグラフ
【図１０】ＨＰ追焚き時の効率と浴槽温度との関係を示すグラフ
【図１１】空調運転時の効率と負荷率との関係を示すグラフ
【図１２】加熱能力と外気温度との関係を示すグラフ
【符号の説明】
１，４３          湯水供給箇所
３                湯水通流路
３３，３４，３５  湯水加熱手段
１０１            貯湯スイッチ
１０２            追焚きスイッチ
１０３ａ          運転モード表示部
１０３ｂ          予測効率表示部
１０３ｃ          運転完了時間表示部
１０３ｄ          総合効率表示部
１０４            運転モード選択手段
Ｕ                運転制御手段
【図１】
0004169452.tif 000002
【図２】
0004169452.tif 000003
【図３】
0004169452.tif 000004
【図４】
0004169452.tif 000005
【図５】
0004169452.tif 000006
【図６】
0004169452.tif 000007
【図７】
0004169452.tif 000008
【図８】
0004169452.tif 000009
【図９】
0004169452.tif 000010
【図１０】
0004169452.tif 000011
【図１１】
0004169452.tif 000012
【図１２】
0004169452.tif 000013